(57)【要約】【課題】着脱が容易で、暑苦しさを伴わず、不使用時にもコンパクトに持ち運べる、靴を足にフィットさせるための手段を提供する。【解決手段】着用物１は、本体部１１と、第１の延伸部１２と、第２の延伸部１３と、連結部１４と、装飾物１５と、第１の係合部１６と、第２の係合部１７とを備えている。着用物１を着用したユーザは、靴Ｓを履いた後、第１の延伸部１２を内踝から靴Ｓの下側へと潜らせ、その先端部を外踝へ引き上げる。そして、第１の延伸部１２の先端部を連結部１４により第２の延伸部１３の先端部に連結する。その結果、連結された第１の延伸部１２および第２の延伸部１３が靴Ｓをユーザの足に対して押し付けるように働くため、靴Ｓの足へのフィット感が著しく向上する。【選択図】図１
2013060669.tif 000002
【特許請求の範囲】
【請求項１】
ユーザの右脚および左脚の各々に各々着用され左右一対を成す２個の着用物であって、
前記２個の着用物の各々は前記ユーザに着用された状態において、
両端部が各々開口した筒状体であり、前記ユーザの脚の膝より下かつ踝より上の領域の少なくとも一部分を覆いつつ締め付ける本体部と、
前記本体部の下端部における左側部および右側部のうちの一方から他方に向かい前記ユーザの足に着用された靴の下側を横断するように延伸する第１の延伸部と、
前記本体部の下端部における前記左側部および右側部のうちの前記他方から前記第１の延伸部の先端部に向かい延伸する第２の延伸部と、
前記第１の延伸部の先端部と前記第２の延伸部の先端部とを互いに連結させる連結部と
を備える着用物。
【請求項２】
前記ユーザに着用された状態において、前記連結部の外側に外部から視認可能に配置された装飾物を備える
請求項１に記載の着用物。
【請求項３】
前記連結部に取り付けられた第１の係合部と、
前記装飾物に取り付けられ前記第１の係合部と着脱可能に係合する第２の係合部と
を備える請求項２に記載の着用物。
【請求項４】
前記ユーザに着用された状態において、前記装飾物は、外部から視認可能な位置に配置された、外部から照射される光に応じて蛍光を発する蛍光部もしくは外部から照射される光を吸収して発光する蓄光部を有する
請求項２または３に記載の着用物。
【請求項５】
前記ユーザに着用された状態において、前記本体部、前記第１の延伸部、前記第２の延伸部および前記連結部のうちの少なくともいずれかの外部から視認可能な位置に配置された、外部から照射される光に応じて蛍光を発する蛍光部もしくは外部から照射される光を吸収して発光する蓄光部を有する
請求項１乃至４のいずれかに記載の着用物。
【発明の詳細な説明】
【技術分野】
【０００１】
本発明は、ユーザが脚に着用する着用物に関する。
【背景技術】
【０００２】
足に十分にフィットしない靴を履いたユーザが歩行する際、足の裏と靴とが接触と離脱を繰り返し、パタパタという音が生じるとともに、履き心地が必ずしも良くない、速く歩いたり走ったりできない、といった不都合が伴う。特に、踵部分が開いたミュールやサンダルと呼ばれる靴においては、その点が顕著である。
【０００３】
現在のところ、上記の問題を解消する手段を提案するものとして本出願人が知っているものは特許文献１のみである。特許文献１に提案されている着用物は全体としてトレンカと呼ばれる着用物の形状を備え、ウェストから足の甲あたりまでの全体を覆うとともに、足の裏に掛け留められるフックを備えている。通常のトレンカにおいてこのフックが靴を履く前の状態の足の裏に掛け留められるが、特許文献１に提案されている着用物においては、このフックが靴を履いた状態の足の裏に靴の上から掛け留められる点が大きく異なっている。
【０００４】
特許文献１に提案されている着用物によれば、フックによりユーザの足に靴が押しつけられた状態となるため、足の動きに対し常に靴が追従し、上述した問題が解消される。
【先行技術文献】
【特許文献】
【０００５】
【特許文献１】実登３１６３５２９号公報
【発明の概要】
【発明が解決しようとする課題】
【０００６】
特許文献１に提案されている着用物はウェストより下の概ね全体を覆う構造であるため、着脱に手間を要する、夏場のような蒸し暑い気候下においては使用に耐えない、不使用時に嵩張る、といった問題が伴う。
【０００７】
そこで、本発明は、着脱が容易で、暑苦しさを伴わず、不使用時にもコンパクトに持ち運べる、靴を足にフィットさせるための手段を提供することを目的とする。
【課題を解決するための手段】
【０００８】
本発明は、上記の目的に鑑みて想到されたものであり、
ユーザの右脚および左脚の各々に各々着用され左右一対を成す２個の着用物であって、
前記２個の着用物の各々は前記ユーザに着用された状態において、
両端部が各々開口した筒状体であり、前記ユーザの脚の膝より下かつ踝より上の領域の少なくとも一部分を覆いつつ締め付ける本体部と、
前記本体部の下端部における左側部および右側部のうちの一方から他方に向かい前記ユーザの足に着用された靴の下側を横断するように延伸する第１の延伸部と、
前記本体部の下端部における前記左側部および右側部のうちの前記他方から前記第１の延伸部の先端部に向かい延伸する第２の延伸部と、
前記第１の延伸部の先端部と前記第２の延伸部の先端部とを互いに連結させる連結部と
を備える着用物を提供する（第１の実施態様）。
【０００９】
また、上記の第１の実施態様において、
前記ユーザに着用された状態において、前記連結部の外側に外部から視認可能に配置された装飾物を備える
構成を採用してもよい（第２の実施態様）。
【００１０】
また、上記の第２の実施態様において、
前記連結部に取り付けられた第１の係合部と、
前記装飾物に取り付けられ前記第１の係合部と着脱可能に係合する第２の係合部と
を備える
構成を採用してもよい（第３の実施態様）。
【００１１】
また、上記の第２または３の実施態様において、
前記ユーザに着用された状態において、前記装飾物は、外部から視認可能な位置に配置された、外部から照射される光に応じて蛍光を発する蛍光部もしくは外部から照射される光を吸収して発光する蓄光部を有する
構成を採用してもよい（第４の実施態様）。
【００１２】
また、上記の第１乃至４のいずれかの実施態様において、
前記ユーザに着用された状態において、前記本体部、前記第１の延伸部、前記第２の延伸部および前記連結部のうちの少なくともいずれかの外部から視認可能な位置に配置された、外部から照射される光に応じて蛍光を発する蛍光部もしくは外部から照射される光を吸収して発光する蓄光部を有する
構成を採用してもよい（第５の実施態様）。
【発明の効果】
【００１３】
上記の第１の実施態様にかかる着用物によれば、ユーザは靴を履いた状態で、靴の下側に第１の延伸部を潜らせた後、その第１の延伸部を第２の延伸部と連結させることにより、容易に靴を足にフィットさせることができる。また、上記の第１の実施態様にかかる着用物は全体として左右が分離したソックスの形状を備えるため、スパッツもしくはレギンスと呼ばれるウェストより下の概ね全体を覆う着用物と比較し、その着脱が容易であるとともに暑苦しさを伴わず、さらに全体として嵩張らないため不使用時に鞄などに入れて持ち運ぶ際にも便利である。
【００１４】
また、上記の第２の実施態様にかかる着用物によれば、ユーザは踝あたりに装飾物を配置することで、従来にない美観上のアクセントを付加することができる。
【００１５】
また、上記の第３の実施態様にかかる着用物によれば、ユーザは装飾物を容易に取り外したり付け替えたりすることができる。従って、例えば勤務中は装飾物を取り外し、通勤中は装飾物を取り付ける、といった使い方や、シーンに応じて適したデザインの装飾物を選択して取り付ける、といった使い方が可能となる。
【００１６】
また、上記の第４または５の実施態様にかかる着用物によれば、装飾物もしくは連結部が蛍光部もしくは蓄光部を有するので、暗所においてユーザの足もとが他人からよく見え、安全性を高めることができる。
【図面の簡単な説明】
【００１７】
【図１】図１は、ユーザの足に着用された状態の本発明の実施例にかかる着用物の外観を示す図である。
【図２】図２は、ユーザの足に着用されていない状態の本発明の実施例にかかる着用物の外観を示す平面図である。
【図３】図３は、ユーザの足に着用されていない状態の本発明の実施例にかかる着用物の外観を示す平面図である。
【図４】図４は、ユーザの足に着用されていない状態の本発明の実施例にかかる着用物の外観を示す平面図である。
【発明を実施するための形態】
【００１８】
（実施例）
以下、本発明の一具体例である実施例を、図面を用いて説明する。
【００１９】
図１は、ユーザの足に着用された状態の本実施例にかかる着用物１の外観を示す図である。また、図２乃至図４は、ユーザの足に着用されていない状態の本実施例にかかる着用物１の外観を示す平面図である。
【００２０】
図２は後述する第１の延伸部１２と第２の延伸部１３が連結される前の着用物１の状態を示し、図３は第１の延伸部１２と第２の延伸部１３が連結された後の着用物１の状態を示している。ただし、図２および図３においては、装飾物１５の取り付けは行われていない。一方、図４は、装飾物１５が取り付けられた状態の着用物１を示している。
【００２１】
着用物１は、全体として、野球の競技者が着用するストッキングと類似の形状を有している。
【００２２】
着用物１はまず、右脚用と左脚用の２個で一対を成す。右脚用のものと左脚用のものはその形状が左右対称である点を除き同じであるため、以下、着用物１のうち右脚用のものについて説明を行う。
【００２３】
着用物１は、本体部１１と、第１の延伸部１２と、第２の延伸部１３と、連結部１４と、装飾物１５と、連結部１４に取り付けられる第１の係合部１６と、装飾物１５に取り付けられる第２の係合部１７とを備えている。
【００２４】
本体部１１は、ユーザに着用された状態において、両端部が各々開口した筒状体であり、ユーザの膝下の踵より上の領域を概ね全体的に覆いつつ締め付ける。
【００２５】
この締め付けにより本体部１１がユーザの足の脛および脹ら脛あたりに固定されることにより、後述するように第１の延伸部１２および第２の延伸部１３が互いに連結された際、それらの第１の延伸部１２および第２の延伸部１３が靴Ｓを上方向に引き上げ、ユーザの足の裏に密着させるように働く。従って、本体部１１の締め付けの強度は、第１の延伸部１２および第２の延伸部１３を靴Ｓの下に掛け留めた際にずり落ちない程度の強度である必要がある。
【００２６】
本体部１１の素材は、例えばナイロンである。
【００２７】
第１の延伸部１２は、着用物１が使用される際に、本体部１１の下端部における例えば左側部から右側部に向かいユーザの足に着用された靴Ｓの下側を横断するように延伸する。
【００２８】
第１の延伸部１２は、本体部１１と一体に成形されており、長手方向の長さが例えば１２センチメートルである。ただし、本体部１１および第１の延伸部１２は伸縮性を有しているので、着用物１がユーザに着用され、第１の延伸部１２が第２の延伸部１３と連結された状態においては、一般的にその長さが１２センチメートルよりも長くなる。
【００２９】
第１の延伸部１２は、本体部１１から長手方向の先端部に向かうに従ってその幅、すなわち長手方向に垂直な方向の長さが徐々に短くなっている。そして、当該長手方向の先端部における幅は、例えば３センチメートルである。
【００３０】
第１の延伸部１２の素材は、例えば本体部１１と同じくナイロンである。
【００３１】
第２の延伸部１３は、着用物１が使用される際に、本体部１１の下端部における例えば右側部から第１の延伸部１２の先端部に向かい延伸する。
【００３２】
第２の延伸部１３は、本体部１１と一体に成形されており、長手方向の長さが例えば５センチメートルである。ただし、第２の延伸部１３もまた伸縮性を有しているので、着用物１がユーザに着用され、第２の延伸部１３が第１の延伸部１２と連結された状態においては、一般的にその長さが５センチメートルよりも長くなる。
【００３３】
第２の延伸部１３は、本体部１１から長手方向の先端部に向かうに従ってその幅、すなわち長手方向に垂直な方向の長さが徐々に短くなっている。そして、当該長手方向の先端部における幅は、例えば３センチメートルである。
【００３４】
第２の延伸部１３の素材もまた、例えば本体部１１と同じくナイロンである。
【００３５】
連結部１４は、第１の延伸部１２の先端部と第２の延伸部１３の先端部とを互いに着脱可能に連結させるための部材である。
【００３６】
連結部１４は、第１の延伸部１２から延伸する内側部分１４１と、第２の延伸部１３から延伸する外側部分１４２で構成される。
【００３７】
連結部１４の内側部分１４１は、第１の延伸部１２と一体成形され第１の延伸部１２から例えば１センチメートル延伸するベース生地１４１１と、ベース生地１４１１の外側に取り付けられた２個のスナップボタン・オス部材１４１２とで構成される。
【００３８】
連結部１４の外側部分１４２は、第２の延伸部１３と一体成形され第２の延伸部１３から例えば１センチメートル延伸するベース生地１４２１と、ベース生地１４２１の内側に取り付けられた２個のスナップボタン・メス部材１４２２とで構成される。
【００３９】
なお、ベース生地１４１１およびベース生地１４２１の素材は、例えば本体部１１と同じくナイロンであり、スナップボタン・オス部材１４１２およびスナップボタン・メス部材１４２２の素材は、例えば真鍮などの金属である。
【００４０】
装飾物１５は、連結部１４の外側部分１４２の外側面上に取り付けられた装飾物であり、そのデザインは様々なものがあり得るが、図４においては例として合成樹脂製の造花２つが装飾物１５として示されている。装飾物１５は着用物１がユーザに着用された状態において、図１に示されるようにユーザの外踝あたりに配置されるため、外部からよく見える。
【００４１】
また、装飾物１５の一部には蓄光素材が用いられている。そのため、例えば夜間において停電が発生した場合などに、その蓄光素材が発する光により他人がユーザの足もとを外部から容易に視認することができるようになっている。
【００４２】
第１の係合部１６および第２の係合部１７は、装飾物１５を連結部１４に着脱可能に取り付けるための部材である。
【００４３】
第１の係合部１６は、例えば２個のスナップボタン・オス部材であり、連結部１４の外側部分１４２の外側面上に取り付けられている。
【００４４】
第１の係合部１６は、ベース生地１４２１を挟んで連結部１４の外側部分１４２の内側面上に取り付けられているスナップボタン・メス部材１４２２と互いに対向する位置に配置される。そのため、第１の係合部１６の２個のスナップボタン・オス部材の各々と、連結部１４の２個のスナップボタン・メス部材１４２２の各々とは、互いにベース生地１４２１を挟んで噛み合うことにより、ベース生地１４２１に対し固定されている。
【００４５】
第２の係合部１７は、例えば２個のスナップボタン・メス部材であり、装飾物１５の裏側部分の外側面上に取り付けられている。
【００４６】
以下、以上のように構成される着用物１の使用方法の一例を説明する。
【００４７】
まず、ユーザは第１の係合部１６と第２の係合部１７との係合を解いて装飾物１５を取り外し、連結部１４の連結を解いて第１の延伸部１２と第２の延伸部１３が連結されていない状態にする。
【００４８】
ユーザは上記の状態の着用物１を、ソックスを履くのと同じ要領で、靴Ｓを履く前の状態の右脚および左脚に各々着用する。その際、第１の延伸部１２が内踝側にくるようにその向きを注意する。
【００４９】
次に、ユーザは靴Ｓを履いて、第１の延伸部１２を内踝から靴Ｓの下側に潜らせ、靴Ｓの土踏まず部分を第１の延伸部１２で下側から支えるように第１の延伸部１２の先端部を外踝あたりに引き上げ、第１の延伸部１２側に取り付けられているスナップボタン・オス部材１４１２を第２の延伸部１３側に取り付けられているスナップボタン・メス部材１４２２に係合させることにより、第１の延伸部１２と第２の延伸部１３の連結を行う。
【００５０】
上記の連結が完了すると、互いに連結された第１の延伸部１２および第２の延伸部１３により靴Ｓがユーザの足の下から上へと押し上げられ、ユーザの歩行に伴い靴Ｓがユーザの足裏から離脱する、という問題が生じなくなり、パタパタという騒音が出る、素早く歩けない、といった問題も解消する。
【００５１】
さらに、ユーザは必要に応じて、外踝の外側に位置する第１の係合部１６に対し装飾物１５の裏側に取り付けられている第２の係合部１７を係合させることで、装飾物１５の取り付けを行う。
【００５２】
ユーザは、例えば靴Ｓの履き心地等よりも外観を重視するシーンにおいては、通常のソックスを脱ぐ要領で容易に着用物１を脚から脱衣することができる。また、脱衣した後の着用物１はさほど嵩張らないため、鞄などに収容して持ち運ぶこともできる。
【００５３】
また、着用物１を脱ぐことができない場合には、連結部１４による第１の延伸部１２と第２の延伸部１３との連結を解いて、第１の延伸部１２と第２の延伸部１３が垂れ下がらないように本体部１１の裾側を捲り上げることで、脚もとの見た目を素早く通常の状態に戻すことができる。例えば、ユーザがスラックスを履いている場合には、スラックスの裾より上まで着用物１の裾を捲り上げることで、外から見た場合には着用物１の着用が分からなくなるため、必ずしも着用物１を脱ぐ必要がない。
【００５４】
（変形例）
上述した実施例は、本発明の技術的思想の範囲内において様々に変形が可能である。以下にそれらの変形の例を示す。
【００５５】
まず、着用物１の各構成要素を特定する数値、形状、素材、個数、位置などはあくまでも一例であって、特に問題がなければその他の数値、形状、素材、個数、位置などが用いられてもよい。
【００５６】
また、連結部１４を構成するスナップボタン・オス部材１４１２とスナップボタン・メス部材１４２２のオスとメスが逆であってもよい。同様に、第１の係合部１６と第２の係合部１７のオスとメスが逆であってもよい。
【００５７】
また、スナップボタン・オス部材１４１２およびスナップボタン・メス部材１４２２に代えて、例えば面ファスナーのフック面とループ面、足袋などに用いられる留め具である小鉤など、他の着脱可能な係合部材が採用されてもよい。第１の係合部１６および第２の係合部１７に関しても同様である。
【００５８】
また、装飾物１５は、第１の係合部１６および第２の係合部１７により着脱可能に連結部１４に取り付けられるものとしたが、連結部１４に対して常時固着されていてもよい。さらに、装飾物１５（および装飾物１５を取り付けるための第１の係合部１６および第２の係合部１７）は、必ずしも設けられなくてもよい。
【００５９】
また、装飾物１５に蓄光素材（外部から照射される光を吸収して発光する蓄光部）を用いるのに代えて、もしくはそれに加えて、装飾物１５に蛍光素材（外部から照射される光に応じて蛍光を発する蛍光部）を用いてもよい。その場合、例えばユーザが夜道を歩く際などに蛍光素材が車両のヘッドライトなどを反射することで、ユーザの安全性が高まる。
【００６０】
また、上述した蓄光部もしくは蛍光部を装飾物１５に用いることに代えて、もしくはそれに加えて、本体部１１などの着用物１の他の部分にそれらの素材を用いてもよい。さらに、着用物１は蛍光部および蓄光部を必ずしも有していなくてもよい。
【００６１】
また、第１の延伸部１２は第２の延伸部１３の内側において連結部１４により連結されるものとしたが、第１の延伸部１２が第２の延伸部１３の外側において第２の延伸部１３と連結されるように連結部１４が構成されていてもよい。
【００６２】
また、第１の延伸部１２と第２の延伸部１３が逆であってもよい。すなわち、第１の延伸部１２が外踝から靴Ｓの下側を潜って内踝に達し、内踝あたりにおいて第２の延伸部１３に連結される構成が採用されてもよい。その場合、装飾物１５による装飾はできなくなるが、外踝あたりに連結部１４が見えることがなくなるので、その意味で美観が向上する。
【００６３】
また、第１の延伸部１２および第２の延伸部１３は本体部１１と一体に成形されているものとしたが、本発明はこれによって限定されるものではない。したがって、例えば、第１の延伸部１２および第２の延伸部１３は、本体部１１に縫い付けにより取り付けられていてもよい。
【００６４】
また、上述した着用物１の使用方法はあくまでも一例であって、着用物１は他のいかなる方法によって使用されてもよい。
【００６５】
なお、上述した実施例に示した着用物１には女性向きのデザインが採用されているが、本発明にかかる着用物は性別や年齢を問わず使用可能である。例えば、幼児は歩行の際にすぐに靴が脱げてしまうことが多いため、その防止のために用いられてもよい。
【産業上の利用可能性】
【００６６】
本発明の着用物は、靴のフィット感を求める全てのユーザのニーズを満たすため、大量に製造・販売され、いわゆる製造業や小売業などのサービス業において利用可能である。
【符号の説明】
【００６７】
１…着用物、１１…本体部、１２…第１の延伸部、１３…第２の延伸部、１４…連結部、１５…装飾物、１６…第１の係合部、１７…第２の係合部
【図１】
2013060669.tif 000003
【図２】
2013060669.tif 000004
【図３】
2013060669.tif 000005
【図４】
2013060669.tif 000006